(57)【特許請求の範囲】
【請求項１】
第１の部材と第２の部材とで成るキーパー本体と、
上記第１及び第２の部材を互いに離反又は接近させることが可能なキーパー開閉機構と、
所定の電圧による放電によってオゾンを発生させるオゾン発生素子，及びこのオゾン発生素子に上記所定の電圧を供給して駆動する駆動回路を有して成るオゾン発生装置と
を備えるブーツキーパーであって、
上記キーパー開閉機構は、
上記ブーツの胴筒部の開口よりも大きなハンドルが上端に取り付けられたシャフトと、
径方向の中心線を上下方向に向けた輪状のバネ部材であって、その上端又は下端の一方が上記シャフトに固定されると共に他方が上記シャフトで上下動自在に保持され、且つ、上記第１の部材と第２の部材とが当該バネ部材の中心線に対して両側の部位に互いの内側面を対向させた状態でそれぞれ取り付けられたバネ部材と
を有し、且つ、
上記ハンドルを回転させてバネ部材の上記他方を上下動させることにより、上記キーパー本体の第１及び第２の部材を互いに離反させて、第１の部材をブーツの内側から上記胴筒部の脛側の部位に当接させると共に第２の部材をブーツの内側から胴筒部の脹ら脛側の部位に当接させる機構であり、
上記オゾン発生装置の駆動回路は、上記ハンドル内に収納され、上記オゾン発生素子は、上記シャフトの所望箇所に着脱自在に取り付けれている、
ことを特徴とするブーツキーパー。
【請求項２】
請求項１に記載のブーツキーパーにおいて、
上記オゾン発生素子に、クリップ部を設け、当該クリップ部で、上記シャフトを挟持した、
ことを特徴とするブーツキーパー。
【請求項３】
請求項１に記載のブーツキーパーにおいて、
上記オゾン発生素子に、磁石部を設け、当該磁石部を、上記シャフトに吸着させた、
ことを特徴とするブーツキーパー。
【請求項４】
一足のブーツの隣り合う胴筒部の上部を挟持するキーパー本体と、所定の電圧による放電によってオゾンを発生させるオゾン発生素子，及びこのオゾン発生素子に上記所定の電圧を供給して駆動する駆動回路を有して成るオゾン発生装置とを備えるブーツキーパーであって、
上記キーパー本体を、第１の筐体と第２の筐体とを互いの上部において回動自在に連結し、且つ第１の磁石を第１の筐体内に設けると共に当該第１の磁石と引っ張り合う第２の磁石を第２の筐体内であって上記第１の磁石と対応する位置に設けることで、構成し、
上記オゾン発生装置の駆動回路を、上記第１の筐体の上部内に収納すると共に、上記オゾン発生素子を、上記第１の筐体内及び第２の筐体内にそれぞれ収納し、且つ上記第１の筐体内に収納したオゾン発生素子を当該第１の筐体の下壁部に設けられオゾン発生素子が発生したオゾンを筐体外部に流出させるための開口の位置近傍に配置すると共に、上記第２の筐体内に収納したオゾン発生素子を当該第２の筐体の下壁部に設けられオゾン発生素子が発生したオゾンを筐体外部に流出させるための開口の位置近傍に配置した、
ことを特徴とするブーツキーパー
【請求項５】
請求項１ないし請求項４のいずれかに記載のブーツキーパーにおいて、
上記オゾン発生装置は、電池を上記駆動回路の電源とする、
ことを特徴とするブーツキーパー。
【発明の詳細な説明】
【技術分野】
【０００１】
この発明は、ブーツの形状を保持するためのブーツキーパーに関するものである。
【背景技術】
【０００２】
ブーツキーパーを、ブーツの胴筒部内に挿入して、ブーツの形状を保持することにより、ブーツの型くずれ等を防ぐことが一般的に行われている。
そして、この際、活性炭消臭剤や脱臭剤等を付着させたブーツキーパーを使用することにより、ブーツ内の消臭等を行うことが多い。  
しかし、これらの薬剤は、消耗品であるので、定期的に補充や交換しなければならず、面倒である。また、携帯可能なクリップ型のブーツキーパーでは（例えば、特許文献１参照）、活性炭消臭剤等を付加すること自体が困難であった。このため、近年では、オゾン発生装置を用いてブーツ内の消臭や殺菌を行うようになった。
その一例として、短波長の紫外線を空気に照射してオゾンを発生させるオゾン発生装置をブーツの内部で駆動させることで、ブーツ内部の消臭や殺菌を行う消臭殺菌技術がある（例えば、特許文献２参照）。
また、他の例としては、高電圧を空気に印加してオゾンを発生させるオゾン発生装置をブーツの内部で駆動させることで、ブーツ内部の消臭や殺菌を行う消臭殺菌技術がある（例えば、特許文献３参照）。
【先行技術文献】
【特許文献】
【０００３】
【特許文献１】実登３０８３２９６号公報
【特許文献２】特開２０００−２２９１１５号公報
【特許文献３】特表２００３−５０９１４４号公報
【発明の概要】
【発明が解決しようとする課題】
【０００４】
しかし、紫外線のオゾン発生装置を用いた上記消臭殺菌技術では、発生オゾン量が少なく、十分な消臭や殺菌を行うことができない。また、この技術に使用するオゾン発生装置では、紫外線を発生させるランプやインバータ等の部品が必要であり、装置自体が大型化すると共に消費電力が大きくなってしまうという問題がある。
これに対して、高電圧のオゾン発生装置を消臭殺菌技術では、上記のような問題は生じない。しかし、ブーツは胴筒部分が柔らかいため、胴筒部分が折れ曲がって、常時起立した状態を維持することが困難な場合が多い。このため、オゾン発生装置を胴筒部に取り付けることができず、その取り付け位置が靴底等の箇所に制限されてしまう。その結果、ブーツ全体を効果的に消臭及び殺菌することができないという問題がある。
近年、このような状況下において、オゾン発生装置を有効に利用して、消臭や殺菌を行うことができるブーツキーパーの出現が期待されている。
【０００５】
この発明は、上述した課題を解決するためになされたもので、小型且つ低消費電力のオゾン発生装置を組み込んでブーツ全体の消臭及び殺菌を可能にしたブーツキーパーを提供することを目的とする。
【課題を解決するための手段】
【０００６】
上記課題を解決するために、請求項１の発明は、第１の部材と第２の部材とで成るキーパー本体と、第１及び第２の部材を互いに離反又は接近させることが可能なキーパー開閉機構と、所定の電圧による放電によってオゾンを発生させるオゾン発生素子，及びこのオゾン発生素子に所定の電圧を供給して駆動する駆動回路を有して成るオゾン発生装置とを備えるブーツキーパーであって、キーパー開閉機構は、ブーツの胴筒部の開口よりも大きなハンドルが上端に取り付けられたシャフトと、径方向の中心線を上下方向に向けた輪状のバネ部材であって、その上端又は下端の一方がシャフトに固定されると共に他方がシャフトで上下動自在に保持され、且つ、第１の部材と第２の部材とが当該バネ部材の中心線に対して両側の部位に互いの内側面を対向させた状態でそれぞれ取り付けられたバネ部材とを有し、且つ、ハンドルを回転させてバネ部材の他方を上下動させることにより、キーパー本体の第１及び第２の部材を互いに離反させて、第１の部材をブーツの内側から胴筒部の脛側の部位に当接させると共に第２の部材をブーツの内側から胴筒部の脹ら脛側の部位に当接させる機構であり、オゾン発生装置の駆動回路は、ハンドル内に収納され、オゾン発生素子は、シャフトの所望箇所に着脱自在に取り付けれている構成とした。
かかる構成により、キーパー本体をブーツの胴筒部内に深く挿入すると、ハンドルの大きさが、ブーツの胴筒部の開口よりも大きく設定されているので、ハンドルが、胴筒部の開口に当たり、胴筒部がハンドルによって覆われる。そして、胴筒部は、挿入されたキーパー本体によって起立した状態でその形状を保持する。かかる状態で、ハンドルに収納されたオゾン発生装置の駆動回路を駆動すると、所定の電圧がオゾン発生素子に供給される。これにより、オゾン発生素子が、放電し、オゾンを発生させる。
ところで、オゾン発生素子は、シャフトに着脱自在に取り付けることができるので、オゾン発生素子を、シャフトの下端部、中途部、上端部等、自由に選択して最適な箇所に取り付けることができる。
このように、最適な箇所に取り付けられたオゾン発生素子から発生したオゾンは、胴筒部内を拡散するが、上記したように、胴筒部がハンドルによって覆われるので、オゾンが、胴筒部の開口から外部に逃げることなく、ブーツ全体に高濃度で充満する。この結果、ブーツ内の消臭及び殺菌が短時間で行われる。
つまり、この発明のブーツキーパーによれば、キーパー本体により、ブーツの柔らかい胴筒部を常時起立させた状態に維持することができ、かかる状態で、オゾン発生装置により、汗や皮脂汚れが蓄積され易い胴筒部内部を消臭及び殺菌することができる。さらに、オゾン発生素子をシャフトの所望箇所に配することで、必要な箇所を集中的に又はブーツ全体を効果的に消臭及び殺菌することができる。しかも、胴筒部をハンドルで覆った状態で、オゾンを発生させるので、消臭等の作業を短時間で終了させることができる。
さらに、所定の電圧をオゾン発生素子に印加してオゾンを発生させるオゾン発生装置であるため、オゾン発生量が、紫外線を用いたオゾン発生装置に比べて高く、十分な消臭及び殺菌効果を得ることができる。
また、、キーパー開閉機構のバネ部材の上端又は下端の他方を上方に移動させることで、バネ部材が上下に長くなり、幅が狭くなる。この結果、互いに向き合う第１及び第２の部材が、バネ部材によって接近するように引きつけられ、キーパー本体の太さが細くなる。
これにより、第１の部材を胴筒部の脛側に向けると共に第２の部材を胴筒部の脹ら脛側に向けて、キーパー本体をブーツの胴筒部内に挿入することができる。
かかる状態で、キーパー開閉機構のバネ部材の上端又は下端の他方を下方に移動させることで、バネ部材が上下に短くなり、幅が広くなる。この結果、互いに向き合う第１及び第２の部材が、バネ部材によって離反され、キーパー本体の太さが太くなる。
したがって、バネ部材における上端又は下端の他方の移動を調整することで、胴筒部内に挿入された第１の部材を胴筒部の脛側の部位に当接させると共に、第２の部材を胴筒部の脹ら脛側の部位に当接させることができ、この結果、胴筒部の形状が、内部のキーパー本体によって維持される。
そして、ハンドル内に収納されたオゾン発生装置の駆動回路を駆動させることで、ブーツ内を消臭及び殺菌することができる。
【０００７】
請求項２の発明は、請求項１に記載のブーツキーパーにおいて、オゾン発生素子に、クリップ部を設け、クリップ部で、シャフトを挟持した構成とする。
【０００８】
請求項３の発明は、請求項１に記載のブーツキーパーにおいて、オゾン発生素子に、磁石部を設け、磁石部を、シャフトに吸着させた構成とする。
【０００９】
請求項４の発明は、一足のブーツの隣り合う胴筒部の上部を挟持するキーパー本体と、所定の電圧による放電によってオゾンを発生させるオゾン発生素子，及びこのオゾン発生素子に所定の電圧を供給して駆動する駆動回路を有して成るオゾン発生装置とを備えるブーツキーパーであって、キーパー本体を、第１の筐体と第２の筐体とを互いの上部において回動自在に連結し、且つ第１の磁石を第１の筐体内に設けると共に当該第１の磁石と引っ張り合う第２の磁石を第２の筐体内であって第１の磁石と対応する位置に設けることで、構成し、オゾン発生装置の駆動回路を、第１の筐体の上部内に収納すると共に、オゾン発生素子を、第１の筐体内及び第２の筐体内にそれぞれ収納し、且つ第１の筐体内に収納したオゾン発生素子を当該第１の筐体の下壁部に設けられオゾン発生素子が発生したオゾンを筐体外部に流出させるための開口の位置近傍に配置すると共に、第２の筐体内に収納したオゾン発生素子を当該第２の筐体の下壁部に設けられオゾン発生素子が発生したオゾンを筐体外部に流出させるための開口の位置近傍に配置した構成とする。
かかる構成により、キーパー本体の第１の筐体と第２の筐体とが互いの上部において回動自在に連結しているので、第１及び第２の筐体の下部を手で持って離反させることで、キーパー本体を開状態にすることができる。
かかる状態で、一足のブーツの隣り合う胴筒部の上部を、開いた第１及び第２の筐体の間に配し、キーパー本体の股を隣り合う胴筒部の上部に乗せると、第１の筐体が一方の胴筒部内に入り、第２の筐体が他方の胴筒部内に入る。
そして、第１及び第２の筐体一方又は双方から手を離すと、第１及び第２の磁石が互いに引き合い、第１及び第２の筐体が近づいて、キーパー本体が閉じ、ブーツの隣り合う胴筒部の上部を第１及び第２の磁石の磁力によって挟持する。
これにより、並んだ一足のブーツが起立した状態を維持する。
かかる状態で、第１の筐体の上部内に収納されたオゾン発生装置の駆動回路を駆動すると、第１及び第２の筐体内にそれぞれ配置されたオゾン発生素子が、オゾンを発生させる。
このとき、オゾン発生素子が第１及び第２の筐体内であって下壁部の開口位置近傍に配置されているので、発生したオゾンは、下壁部の開口から筐体の外部に流出し、ブーツ内部全体を効率よく、消臭及び殺菌する。
【００１０】
請求項５の発明は、請求項１ないし請求項４のいずれかに記載のブーツキーパーにおいて、オゾン発生装置は、電池を駆動回路の電源とする構成とした。
【発明の効果】
【００１１】
以上詳しく説明したように、この発明のブーツキーパーによれば、ブーツの胴筒部を起立させた状態で、胴筒部内部を効果的に消臭及び殺菌することができるという優れた効果がある。また、所定の電圧をオゾン発生素子に印加してオゾンを発生させるオゾン発生装置を用いるため、オゾン発生量が、紫外線を用いたオゾン発生装置に比べて高く、十分な消臭及び殺菌効果を得ることができる。
特に、請求項１又は請求項２の発明に係るブーツキーパーによれば、オゾン発生装置のオゾン発生素子をシャフトの任意の箇所に着脱自在に取り付けることができるので、
必要な箇所を集中的に又はブーツ全体を効果的に消臭及び殺菌することができるという効果がある。さらに、胴筒部をハンドルで覆った状態で、オゾンを発生させるので、消臭等の作業を短時間で終了させることができるという効果もある。
また、請求項４の発明に係るブーツキーパーによれば、１つのブーツキーパーによって２つのブーツを同時に消臭及び殺菌することができるという効果がある。そして、キーパー本体を小型に設計して、クリップ型のブーツキーパーとすることで、携帯に優れたブーツキーパーを提供することができる。この結果、ユーザは、ブーツキーパーを携帯し、会社等でブーツから上履きに履き替えた際に、ブーツキーパーをブーツにクリップして消臭及び殺菌する等、ブーツの消臭と殺菌をいつでもどこでも手軽に行うことができる。
【図面の簡単な説明】
【００１２】
【図１】この発明の第１実施例に係るブーツキーパーを示す斜視図である。
【図２】ブーツキーパーを示すの断面図である。
【図３】キーパー開閉機構を説明するための断面図である。
【図４】キーパー開閉機構でキーパー本体を閉じた状態を示す断面図である。
【図５】オゾン発生装置の外観を示すハンドルの平面図である。
【図６】オゾン発生装置の構成部材を説明するための平面図である。
【図７】オゾン発生装置の電気回路図である。
【図８】図５の矢視Ａ−Ａ断面図である。
【図９】図５の矢視Ｂ−Ｂ断面図である。
【図１０】オゾン発生素子のクリップ部を示す概略図である。
【図１１】オゾン発生素子の取付図である。
【図１２】閉じたブーツキーパーをブーツに挿入する状態を示す断面図である。
【図１３】ブーツに挿入したブーツキーパーを開いた状態を示す断面図である。
【図１４】ハンドルが胴筒部を覆った状態を示す断面図である。
【図１５】この発明の第２実施例に係るブーツキーパーを示す斜視図である。
【図１６】ブーツキーパーを２つに分離した状態を示す斜視図である。
【図１７】図１５の矢視Ａ−Ａ断面図である。
【図１８】図１５の矢視Ｂ−Ｂ断面図である。
【図１９】ブーツキーパーの開閉動作を示す正面図である。
【図２０】ブーツキーパーがブーツを挟持した状態を示す部分断面図である。
【図２１】この発明の第３実施例に係るブーツキーパーに適用されるオゾン発生装置の電気ブロック図である。
【図２２】第１実施例の第１変形例を示す部分断面図である。
【図２３】第１実施例の第２変形例を示す概略図である。
【図２４】第２実施例の一変形例を示す正面図である。
【図２５】オゾン発生装置の変形例を示す電気ブロック図である。
【発明を実施するための形態】
【００１３】
以下、この発明の最良の形態について図面を参照して説明する。
（実施例１）
【００１４】
図１は、この発明の第１実施例に係るブーツキーパーを示す斜視図であり、図２は、ブーツキーパーを示すの断面図である。
【００１５】
図１に示すように、この実施例のブーツキーパー１−１は、キーパー本体２とキーパー開閉機構３とオゾン発生装置４とを備えている。
キーパー本体２は、ブーツ１００の胴筒部１０１に挿入して、胴筒部１０１の形状を保持する部分であり、全体として胴筒部１０１に対応した形状を成す。
具体的には、図２に示すように、第１の部材としての脛側部材２１と、第２の部材としての脹ら脛側部材２２とで構成されている。
脛側部材２１は、胴筒部１０１の脛側の部位（図１の左側の部位）に当接させるため部分である。この脛側部材２１は、内側に湾曲した脛形状の長尺体である。
脹ら脛側部材２２は、脛側部材２１と、胴筒部１０１の脹ら脛側の部位（図１の右側の部位）に当接させるための部分である。この脹ら脛側部材２２も、脛側部材２１と同様に、内側に湾曲した脛形状の長尺体である。
【００１６】
このようなキーパー本体２には、後述するキーパー開閉機構３の構成部材でもあるシャフト３１がバネ部材３２を通じて取り付けられている。
シャフト３１は、キーパー本体２の略中心軸上に、配され、その上端部３１ｂがキーパー本体２の上端から所定長さだけ延出している。
そして、図１に示すように、ハンドル３５が、このシャフト３１の上端に取り付けられている。このハンドル３５の直径ｄ１は、ブーツ１００の胴筒部１０１の開口１０１ａの長径ｄ２よりも大きく設定され、胴筒部１０１の開口１０１ａをこのハンドル３５で覆うことができるようになっている。
【００１７】
図２に示すキーパー開閉機構３は、上記のようなキーパー本体２の脛側部材２１，脹ら脛側部材２２を開閉させるための機構である。
図３は、キーパー開閉機構３を説明するための断面図であり、図４は、キーパー開閉機構３でキーパー本体２を閉じた状態を示す断面図である。
図３に示すように、キーパー開閉機構３は、上記したシャフト３１と、輪状のバネ部材３２とで構成されている。
【００１８】
具体的には、筒状のホルダ３４が、シャフト３１の上部側に設けられ、連結管３３が、シャフト３１の中間部に設けられている。ホルダ３４は、内側に雌ネジ部３４ａを有し、この雌ネジ部３４ａを、シャフト３１の上部側に刻設された雄ネジ部３１ａに螺合させている。一方、連結管３３は、シャフト３１に回動自在に嵌められ、シャフト３１の幅広部３１ｃを内部に収納する。
【００１９】
バネ部材３２は、径方向の中心線Ｍを上下方向に向けた状態でシャフト３１に取り付けられている。すなわち、バネ部材３２の下端が、連結管３３に固着され、シャフト３１に対して固定された状態になっている。また、バネ部材３２の上端は、ホルダ３４に固着されており、ホルダ３４と一体に上下動するようになっている。
そして、このバネ部材３２の中心線Ｍに対して両側の部位３２ａ，３２ｂが、脛側部材２１の内側と脹ら脛側部材２２の内側とにそれぞれ固着され、脛側部材２１と脹ら脛側部材２２とが、湾曲した内側を対向させた状態で、バネ部材３２に取り付けられている。
【００２０】
キーパー開閉機構３が、かかる構造になっていることから、ホルダ３４を持って、ハンドル３５を一方方向に回転させることで、ホルダ３４が、シャフト３１に対して下に移動し、バネ部材３２が、図２に示すように、横方向に膨らむ。この結果、キーパー本体２の脛側部材２１と脹ら脛側部材２２とが互いに離反して、キーパー本体２が開いた状態になる。また、ハンドル３５を他方方向に回転させることで、ホルダ３４が、シャフト３１に対して上に移動し、バネ部材３２が、図４に示すように、横方向に萎む。この結果、キーパー本体２の脛側部材２１と脹ら脛側部材２２とが、接近して、キーパー本体２が閉じた状態になる。
【００２１】
オゾン発生装置４は、図１に示すように、ハンドル３５とシャフト３１とに組み付けられている。
図５は、オゾン発生装置４の外観を示すハンドルの平面図であり、図６は、オゾン発生装置４の構成部材を示す平面図であり、図７は、オゾン発生装置４の電気回路図である。
図５に示すように、オゾン発生装置４は、ハンドル３５の内部に収納された駆動関連部分と、ハンドル３５内部から引き出されたケーブル４０に接続されたオゾン発生素子４１とを備えている。
図６に示すように、この実施例のオゾン発生装置４では、駆動関連部分が、駆動回路４２と電池４３とＬＥＤ４４（Light Emitting Diode）とスイッチ４５とを有してなり、オゾン発生素子４１が、ケーブル４０を通じて駆動回路４２に電気的に接続されている。
このオゾン発生装置４は、電圧印加型のオゾン発生装置であり、その電気的構造は、図７に示すような構造を成す。
図７に示すオゾン発生素子４１は、  交流高電圧による放電によってオゾンを発生させる素子であり、駆動回路４２は、交流高電圧を、変圧器４２ａを通じてオゾン発生素子４１に供給して、オゾン発生素子４１を駆動する回路である。駆動回路４２は、複数の電池４３を電源としており、ＬＥＤ４４とスイッチ４５とが、駆動回路４２と電池４３との間に介設されている。
【００２２】
図８は、図５の矢視Ａ−Ａ断面図であり、図９は、図５の矢視Ｂ−Ｂ断面図である。
図６に示したように、駆動回路４２と電池４３は、ハンドル３５に形成された収納室３５Ａ，３５Ｂに収納されている。
具体的には、図８及び図９に示すように、収納室３５Ａ，３５Ｂが、ハンドル３５の中央部分に凹設され、駆動回路４２が、収納室３５Ａに収納され、電池４３が、収納室３５Ｂに収納されている。そして、天壁３５ａが収納室３５Ａの上部に設けられ、ＬＥＤ４４とスイッチ４５とが、この天壁３５ａに組み付けられている。また、駆動回路４２からのケーブル４０は、収納室３５Ａの底壁の孔３５ｃから引き出されて、オゾン発生素子４１に接続されている。一方、複数の電池４３は、収納室３５Ｂに収納されており、電池４３の交換は蓋３５ｂを開けることで行う。
オゾン発生素子４１は、ケーブル４０に接続された状態で、小さなプラスチック製のケース４６に、収納され、その先端が、ケース４６の窓４６ａ近傍に位置している。
【００２３】
図１０は、オゾン発生素子４１のクリップ部を示す概略図であり、図１１は、オゾン発生素子４１の取付図である。
ケース４６に収納されたオゾン発生素子４１には、図１０の（ａ）に示すように、クリップ部４７が設けられている。このクリップ部４７は、ケース４６と一体に成形されたプラスチック製の弾発体である。このクリップ部４７を用いることで、図１０の（ｂ）に示すように、オゾン発生素子４１をシャフト３１に着脱自在に取り付けることができる。
つまり、図１１に示すように、クリップ部４７を用いることで、オゾン発生素子４１をシャフト３１の下端部、中間部、上端部等、所望の箇所に自由に取り付けたり、取り外したりすることができる。
【００２４】
これにより、図５に示したスイッチ４５をオンにすると、電源電圧が、図６に示す電池４３から駆動回路４２に供給される。そして、駆動回路４２で生成された交流高電圧が、ケーブル４０を通じて、オゾン発生素子４１に印加される。この結果、シャフト３１に取り付けられたオゾン発生素子４１において、オゾンが生成され、オゾンが、図８及び図９に示したケース４６の窓４６ａから放出される。同時に、ＬＥＤ４４が点灯し、ユーザは、このＬＥＤ４４の点灯によって、オゾン発生装置４が作動中であることを知ることができる。
【００２５】
次に、この実施例のブーツキーパーの作用及び効果について説明する。
図１２は、閉じたブーツキーパー１−１をブーツ１００に挿入する状態を示す断面図であり、図１３は、ブーツ１００に挿入したブーツキーパー１−１を開いた状態を示す断面図であり、図１４は、ハンドル３５が胴筒部１０１を覆った状態を示す断面図である。
図１２に示すように、オゾン発生素子４１を、例えば、シャフト３１の下端部にクリップする。そして、キーパー開閉機構３のハンドル３５を回転させて、脛側部材２１と脹ら脛側部材２２とを接近させ、キーパー本体２を閉じた状態にすることで、ブーツキーパー１−１をブーツ１００の胴筒部１０１内に挿入する。
このとき、脛側部材２１を胴筒部１０１の脛側（図１２の左側）に向けると共に、脹ら脛側部材２２を胴筒部１０１の脹ら脛側（図１２の右側）に向けておく。
かかる状態で、ハンドル３５を逆に回転させると、図１３に示すように、脛側部材２１と脹ら脛側部材２２とが離反していく。ハンドル３５の回転を調整し、脛側部材２１が胴筒部１０１の脛側の部位に当接すると共に、脹ら脛側部材２２が胴筒部１０１の脹ら脛側の部位に当接した時点で、ハンドル３５の回転を停止する。
【００２６】
かかるキーパー本体２を、さらに胴筒部１０１内に挿入すると、図１４に示すように、ハンドル３５が、胴筒部１０１の開口１０１ａに当接し、胴筒部１０１に蓋をしたような状態になると共に、キーパー本体２が、ブーツ１００の胴筒部１０１に内側から圧接して、胴筒部１０１の形状を維持する。
【００２７】
しかる後、図５〜図９に示したオゾン発生装置４のスイッチ４５をオンにすると、ＬＥＤ４４が点灯すると同時に、駆動回路４２で生成された交流高電圧が、ケーブル４０を通じてオゾン発生素子４１に印加し、オゾンがオゾン発生素子４１で発生する。このオゾンは、ケース４６の窓４６ａから放出され、図１４に示すブーツ１００内を拡散する。
このとき、ハンドル３５が、胴筒部１０１の開口１０１ａを覆った状態になっているので、オゾンは、ブーツ１００内に高濃度で溜まり、ブーツ１００内を短時間に消臭及び殺菌する。
（実施例２）
【００２８】
次に、この発明の第２実施例について説明する。
図１５は、この発明の第２実施例に係るブーツキーパーを示す斜視図であり、図１６は、ブーツキーパーを２つに分離した状態を示す斜視図であり、図１７は、図１５の矢視Ａ−Ａ断面図であり、図１８は、図１５の矢視Ｂ−Ｂ断面図である。
図１５に示すように、この実施例のブーツキーパー１−２は、開閉可能なキーパー本体２′にオゾン発生装置４を組み込んだクリップ型のブーツキーパーである。
【００２９】
キーパー本体２′は、第１の筐体としての筐体６と第２の筐体としての筐体７とで形成されている。
図１６に示すように、筐体６は、全体として長方形状を成し、オゾン発生装置収納部６０を上部に有している。そして、かかる筐体６内には、第１の磁石としての板磁石８１が収納され、内側壁６ａの下部に貼り付けられている。
一方、筐体７は、オゾン発生装置収納部６０を除いた筐体６の部分と同形に形成されている。
この筐体７は、その上部において、筐体６に回動自在に連結されている。
具体的には、舌片７１，７２が、筐体７の上部両側に突設され、孔７１ａ，７２ａが、舌片７１，７２にそれぞれ穿設されている。これら舌片７１，７２に対応して、隙間Ｇ１，Ｇ２が、筐体６のオゾン発生装置収納部６０の両側に形成され、舌片７１，７２が、これら隙間Ｇ１，Ｇ２に挿入されている。そして、オゾン発生装置収納部６０内に、水平な軸６１が、隙間Ｇ１，Ｇ２を横断するように、設けられている。つまり、この軸６１が、舌片７１，７２の孔７１ａ，７２ａを貫通して、筐体７を回動自在に軸支している。
そして、第２の磁石としての板磁石８２が、筐体７内に収納され、筐体６の内側壁６ａと対向する内側壁７ａの下部に貼り付けられている。
板磁石８１，８２は、互いに逆の極性を向けて、対向しており、筐体６，７の一方を自由にすると、板磁石８１，８２が引っ張り合い、筐体６の内側壁６ａと筐体７の内側壁７ａとが圧接するようになっている。
【００３０】
オゾン発生装置４は、図１７及び図１８に示すように、オゾン発生装置収納部６０に組み付けられている。
具体的には、オゾン発生装置４の内の駆動回路４２と電池４３とＬＥＤ４４とスイッチ４５とが、オゾン発生装置収納部６０に収納されている。
詳しくは、収納室６０Ａ，６０Ｂが、オゾン発生装置収納部６０の下部，上部のそれぞれに設けられ、駆動回路４２が、収納室６０Ａに収納され、複数の電池４３が、蓋６０ｂで覆われた収納室６０Ｂに収納されている。そして、ＬＥＤ４４とスイッチ４５とが、この収納室６０Ｂの隣に組み付けられている。また、駆動回路４２からのケーブル４０は、収納室６０Ａの底壁の孔６０ａから引き出されている。
そして、一方のオゾン発生素子４１が、ケーブル４０に接続された状態で、筐体６内に収納され、下壁部６ｂの開口６ｃの位置に固定されている。また、他方のオゾン発生素子４１′も、ケーブル４０に接続された状態で筐体７に収納され、下壁部７ｂの開口７ｃの位置に固定されている。
【００３１】
次に、この実施例のブーツキーパーの作用及び効果について説明する。
図１９は、ブーツキーパー１−２の開閉動作を示す正面図であり、図２０は、ブーツキーパー１−２がブーツ１００を挟持した状態を示す部分断面図である。
図１９に示すように、筐体７が、筐体６に回動自在に連結されていることから、キーパー本体２′の筐体６，７の下部を手で持って、矢印で示すように、回転させることで、ブーツキーパー１−２を開状態にすることができる。
かかる状態で、図２０に示すように、一足のブーツ１００，１００の隣り合う胴筒部１０１，１０１の上部１０１ｂ，１０１ｂを、開いた筐体６，７の間に配し、キーパー本体２′の股をこれら胴筒部１０１の上部に乗せる。
これにより、筐体６が、図２０の左側の胴筒部１０１内に入り、筐体７が右側の胴筒部１０１内に入るので、かかる状態で、筐体６，７の一方又は双方から手を離す。
すると、筐体６，７内の板磁石８１，８２が互いに引き合い、筐体６，７が互いに近づいて、キーパー本体２′が閉じる。
そして、板磁石８１，８２の磁力によって、筐体６，７が、隣り合う胴筒部１０１，１０１の上部１０１ｂ，１０１ｂを挟持する。
これにより、並んだ一足のブーツ１００，１００が起立した状態を維持する。
【００３２】
かかる状態で、図１５〜図１８に示したスイッチ４５をオンにして、オゾン発生装置収納部６０に収納されたオゾン発生装置４の駆動回路４２を駆動させると、筐体６，７内のオゾン発生素子４１，４１′が、オゾンを発生させ、発生したオゾンが、下壁部６ｂ，７ｂの開口６ｃ，７ｃから流出し、ブーツ１００内部全体を効率よく、消臭及び殺菌する。
【００３３】
このようなブーツキーパー１−２は、クリップ型のブーツキーパーであるので、携帯に優れ、外出先等で、ブーツの消臭と殺菌を手軽且つ容易に行うことができる。
その他の構成、作用及び効果は、上記第１実施例と同様であるので、その記載は省略する。
（実施例３）
【００３４】
次に、この発明の第３実施例について説明する。
図２１は、この発明の第３実施例に係るブーツキーパーに適用されるオゾン発生装置の電気ブロック図である。
この実施例は、オゾン発生装置４の機能が、上記第１及び第２実施例と異なる。
図２１に示すように、このオゾン発生装置４には、ＭＰＵ（Micro Processing Unit）４８とＲＯＭ（Read Only Memory）４９が設けられ、各種の操作が可能になっている。
具体的には、ＭＰＵ４８が、駆動回路４２とスイッチ４５とに接続され、ＲＯＭ４９がＭＰＵ４８に接続されている。そして、プログラムが、ＲＯＭ４９に格納され、ＭＰＵ４８は、このプログラムをＲＯＭ４９から読み出して、オゾン発生装置４が所定時間連続運転し又は、所定間隔で間欠運転をするように、駆動回路４２とスイッチ４５とを制御する。
これにより、ＭＰＵ４８によって、必要な場合にのみ、オゾン発生装置４を作動させることができるので、オゾンを無駄なく発生させ、電池４３の保持時間を長くすることができ、この結果、消費電力を節約することができる。また、駆動回路４２に対するＭＰＵ４８の制御によって、オゾン発生素子４１からのオゾンの発生量を自由に制御することができる。
その他の構成、作用及び効果は、上記第１及び第２実施例と同様であるので、その記載は省略する。
【００３５】
なお、この発明は、上記実施例に限定されるものではなく、発明の要旨の範囲内において種々の変形や変更が可能である。
例えば、上記第１実施例では、キーパー本体２を、胴筒部１０１の脛側に当てる脛側部材２１と脹ら脛側に当てる脹ら脛側部材２２とで構成したが、キーパー本体２は、これに限定されるものではなく、図２２に示すブーツキーパー１−４のように、同形の第１及び第２の部材２４，２５をキーパー開閉機構３に取り付けると共に、オゾン発生装置４の駆動回路４２等をハンドル３５内に設け、これら第１及び第２の部材２４，２５を、胴筒部１０１，１０１の両側部１０１ｂ，１０１ｂにそれぞれ当接させる構成としても良い。
また、上記第１実施例では、オゾン発生素子４１にクリップ部４７を設けて、シャフト３１に着脱自在に取り付けることができるようにしたが、図２３に示すように、オゾン発生素子４１に、磁石部４７′を設け、磁力によって、金属製のシャフトに吸着させるようにしても良い。
さらに、上記第２実施例では、筐体６の舌片７１，７２の孔７１ａ，７２ａをほぼ円形に設定した例を示したが、図２４に示すように、孔７１ａ，７２ａを横に長い楕円形状に設定して、筐体６の軸６１をこの孔７１ａ，７２ａに遊嵌しても良い。これにより、筐体６，７が胴筒部１０１，１０１の上部１０１ｂ，１０１ｂを挟んだときに、筐体７の上部が、図２４の右方向に逃げ、筐体６の内側壁６ａのほぼ全面と筐体７の内側壁７ａのほぼ前面が上部１０１ｂ，１０１ｂに当接し、上部１０１ｂ，１０１ｂをより強く挟持することができる。
また、上記第２実施例では、携帯型の小型のブーツキーパー１−２について、説明したが、これに限定されるものではなく、上記第１実施例のブーツキーパー１−１のように、通常の大きさに設定したブーツキーパー１−２も、この発明の範囲に含まれることは勿論である。
また、上記第１実施例では、シャフト３１に取り付けたオゾン発生素子４１のケーブル４０を外部に露出させたが、オゾン発生素子４１をシャフト３１内に収納するようにしても良い。例えば、シャフト３１を２つの円筒を組み合わせた二重構造とし、ケーブル４０を内側の円筒内部に収納させると共に、オゾン発生素子４１を外側の円筒に取り付け、外側の円筒を内側の円筒に対して長さ方向に移動させることができるようにしても良い。
【００３６】
また、上記実施例では、オゾン発生装置４の駆動回路４２の電源として、電池４３を用いた例を示したが、これに限定されるものではなく、交流や、アダプタによって交流から変換された直流等を、駆動回路４２の電源としても良いことは勿論である。
また、上記実施例では、オゾン発生素子４１に交流高電圧を供給して、オゾンを発生させるオゾン発生装置４を適用した例を示したが、オゾン発生素子に直流電圧を供給して、オゾンを発生させるオゾン発生装置を適用した発明を除外する意ではない。
すなわち、図２５に示すように、整流回路５をダイオード５１，５２とコンデンサ５３，５４で構成し、駆動回路４２からの交流電圧をこの整流回路５によって直流電圧に変換して、オゾン発生素子４１′′に供給するオゾン発生装置４′も、この発明に適用することができる。
【符号の説明】
【００３７】
１−１〜１−４…ブーツキーパー、  ２，２′…キーパー本体、  ３…キーパー開閉機構、  ４，４′…オゾン発生装置、  ５…整流回路、  ６，７…筐体、  ６ａ，７ａ…内側壁、  ６ｂ，７ｂ…下壁部、  ６ｃ，７ｃ…開口、  ７…筐体、  ２１…脛側部材、  ２２…脹ら脛側部材、  ２４…第１の部材、  ２５…第２の部材、  ３１ａ…雄ネジ部、  ３１ｂ…上端部、  ３１ｃ…幅広部、  ３２…バネ部材、  ３３…連結管、  ３４…ホルダ、  ３４ａ…雌ネジ部、  ３５…ハンドル、  ３５Ａ，３５Ｂ，６０Ａ，６０Ｂ…収納室、  ３５ａ…天壁、  ３５ｂ，６０ｂ…蓋、  ３５ｃ，６０ａ…孔、  ４０…ケーブル、  ４１，４１′，４１′′…オゾン発生素子、  ４２…駆動回路、  ４２ａ…変圧器、  ４３…電池、  ４５…スイッチ、  ４６…ケース、  ４６ａ…窓、  ４７…クリップ部、  ４７′…磁石部、  ４８…ＭＰＵ、  ４９…ＲＯＭ、  ５１，５２…ダイオード、  ５３，５４…コンデンサ、  ６０…オゾン発生装置収納部、  ６１…軸、  ７１，７２…舌片、  ７１ａ，７２ａ…孔、  ８１，８２…板磁石、  １００…ブーツ、  １０１…胴筒部、  １０１ａ…開口、  １０１ｂ…両側部。
【図１】
0005532226.tif 000002
【図２】
0005532226.tif 000003
【図３】
0005532226.tif 000004
【図４】
0005532226.tif 000005
【図５】
0005532226.tif 000006
【図６】
0005532226.tif 000007
【図７】
0005532226.tif 000008
【図８】
0005532226.tif 000009
【図９】
0005532226.tif 000010
【図１０】
0005532226.tif 000011
【図１１】
0005532226.tif 000012
【図１２】
0005532226.tif 000013
【図１３】
0005532226.tif 000014
【図１４】
0005532226.tif 000015
【図１５】
0005532226.tif 000016
【図１６】
0005532226.tif 000017
【図１７】
0005532226.tif 000018
【図１８】
0005532226.tif 000019
【図１９】
0005532226.tif 000020
【図２０】
0005532226.tif 000021
【図２１】
0005532226.tif 000022
【図２２】
0005532226.tif 000023
【図２３】
0005532226.tif 000024
【図２４】
0005532226.tif 000025
【図２５】
0005532226.tif 000026